【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
露光素子が千鳥配置されたラインヘッドと、
画像データを奇数番目ドットデータと偶数番目ドットデータとに分離する分離手段と、
前記分離手段より分離された前記画像データの前記奇数番目ドットデータを記憶する第１の記憶手段と、
前記分離手段より分離された前記偶数番目ドットデータを記憶する第２の記憶手段と、
前記第１及び第２の記憶手段に記憶された前記奇数番目ドットデータ及び偶数番目ドットデータのうち少なくとも何れか一方のドットデータについて解像度補間値を演算する演算手段と、
前記演算手段により演算された前記解像度補間値を用いて解像度補間を行った補間画像データを前記ラインヘッドに供給する供給手段と、を有することを特徴とする画像形成装置。
【請求項２】
前記演算手段による前記演算は、前記第1の記憶手段に記憶した前記奇数番目ドットデータおよび前記第２の記憶手段に記憶した前記偶数番目ドットデータの双方について行なうことを特徴とする請求項１に記載の画像形成装置。
【請求項３】
前記画像形成装置は、更に像担持体を備え、
前記解像度補間は、前記像担持体の主走査方向に形成される２ラインの露光位置間で、副走査方向の任意の位置で露光して行なうことを特徴とする、請求項１または請求項２に記載の画像形成装置。
【請求項４】
前記画像形成装置は、更に像担持体を備え、
前記解像度補間は、前記像担持体の主走査方向に形成される２ラインの露光位置間で、副走査方向の前記２ラインの中間の位置で行うことを特徴とする、請求項１ないし請求項３のいずれか１項に記載の画像形成装置。
【請求項５】
前記記憶手段は、前記画像データをライン単位で記憶するメモリであって、前記奇数番目ドットデータを記憶するメモリ数、または偶数番目ドットデータを記憶するメモリ数のいずれか一方の前記メモリ数は、他方の記憶手段のラインメモリ数より前記千鳥配列した露光素子列の間に副走査方向でずれたドット数分多く設けられていることを特徴とする、請求項１ないし請求項４のいずれか１項に記載の画像形成装置。
【請求項６】
前記露光素子は、有機ＥＬ素子であることを特徴とする、請求項１ないし請求項５のいずれかに記載の画像形成装置。
【請求項７】
露光素子を千鳥配列したラインヘッドに画像データを供給し、像担持体に解像度を補間した画像を形成する画像形成方法であって、
画像データを奇数番目ドットデータと偶数番目ドットデートとに分離する分離ステップと、
前記分離された奇数番目ドットデータを第１の記憶手段に記憶する第１記憶ステップと、
前記分離された偶数番目ドットデータを第２の記憶手段に記憶する第２記憶ステップと、
前記第１の記憶手段に記憶された奇数番目ドットデータ及び前記第２の記憶手段に記憶された偶数番目ドットデータのうち少なくとも何れか一方のドットデータについて解像度補間値を演算する演算ステップと、
前記演算ステップにより演算された前記解像度補間値を用いて解像度補間を行ったドットデータを前記ラインヘッドに供給する供給ステップと、からなることを特徴とする画像形成方法。
【手続補正２】
【補正対象書類名】明細書
【補正対象項目名】０００７
【補正方法】変更
【補正の内容】
【０００７】
上記目的を達成する本発明の画像形成装置は、露光素子が千鳥配置されたラインヘッドと、
画像データを奇数番目ドットデータと偶数番目ドットデータとに分離する分離手段と、
前記分離手段より分離された前記画像データの前記奇数番目ドットデータを記憶する第１の記憶手段と、
前記分離手段より分離された前記偶数番目ドットデータを記憶する第２の記憶手段と、
前記第１及び第２の記憶手段に記憶された前記奇数番目ドットデータ及び偶数番目ドットデータのうち少なくとも何れか一方のドットデータについて解像度補間値を演算する演算手段と、
前記演算手段により演算された前記解像度補間値を用いて解像度補間を行った補間画像データを前記ラインヘッドに供給する供給手段と、を有することを特徴とする。この構成によれば、露光素子を千鳥状に配列した複数のラインヘッドを有する画像形成装置において、メモリ容量を増大させることなく解像度補間を行うことができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明の画像形成装置は、前記演算手段による前記演算は、前記前記第1の記憶手段に記憶した前記奇数番目ドットデータおよび前記第２の記憶手段に記憶した前記偶数番目ドットデータの双方について行なうことを特徴とする。この構成によれば、解像度補間値の演算を精度良く行なうことができる。
【手続補正５】
【補正対象書類名】明細書
【補正対象項目名】００１０
【補正方法】変更
【補正の内容】
【００１０】
また、本発明の画像形成装置は、前記画像形成装置は、更に像担持体を備え、
前記解像度補間は、前記像担持体の主走査方向に形成される２ラインの露光位置間で、副走査方向の任意の位置で露光して行なうことを特徴とする。この構成によれば、解像度補間を行う副走査方向の位置を選定する際の、自由度を高めることができる。
【手続補正６】
【補正対象書類名】明細書
【補正対象項目名】００１１
【補正方法】変更
【補正の内容】
【００１１】
また、本発明の画像形成装置は、前記画像形成装置は、更に像担持体を備え、
前記解像度補間は、前記像担持体の主走査方向に形成される２ラインの露光位置間で、副走査方向の前記２ラインの中間の位置で行うことを特徴とする。この構成によれば、副走査方向に均一な、バランスの取れた解像度補間を行なうことができる。
【手続補正７】
【補正対象書類名】明細書
【補正対象項目名】００１２
【補正方法】変更
【補正の内容】
【００１２】
また、本発明の画像形成装置は、前記記憶手段は、前記画像データをライン単位で記憶するメモリであって、前記奇数番目ドットデータを記憶するメモリ数、または偶数番目ドットデータを記憶するメモリ数のいずれか一方の前記メモリ数は、他方の記憶手段のラインメモリ数より前記千鳥配列した露光素子列の間に副走査方向でずれたドット数分多く設けられていることを特徴とする。この構成によれば、露光素子を千鳥状に配列したラインヘッドにおいて、副走査方向の印字ずれを補正するために設けたラインメモリを用いて解像度補間を行なうので、ラインメモリの有効利用が図れる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明の画像形成方法は、露光素子を千鳥配列したラインヘッドに画像データを供給し、像担持体に解像度を補間した画像を形成する画像形成方法であって、
画像データを奇数番目ドットデータと偶数番目ドットデートとに分離する分離ステップと、
前記分離された奇数番目ドットデータを第１の記憶手段に記憶する第１記憶ステップと、
前記分離された偶数番目ドットデータを第２の記憶手段に記憶する第２記憶ステップと、
前記第１の記憶手段に記憶された奇数番目ドットデータ及び前記第２の記憶手段に記憶された偶数番目ドットデータのうち少なくとも何れか一方のドットデータについて解像度補間値を演算する演算ステップと、
前記演算ステップにより演算された前記解像度補間値を用いて解像度補間を行ったドットデータを前記ラインヘッドに供給する供給ステップと、からなる
ことを特徴とする。この構成によれば、露光素子の配置に対応させてラインメモリを合理的に配列した千鳥配列型ラインヘッドの、解像度補間を円滑に行うことができる。